(57)【要約】      （修正有）【課題】段ボールを利用したパーティションであって、透明な個所を広く確保することに適したパーティションを提供する。【解決手段】パーティション１は、透明シート部材２と、透明シート部材２の少なくとも一部を曲げて支持する枠体を備える。枠体は、透明シート部材２をシート面の内側から支持する第１内側支持部７と、第１内側支持部７が支持する位置で透明シート部材２をシート面の外側から支持する外側段ボール部材３を備える。第１内側支持部７は、第１段ボール部材と、第１段ボール部材と目の方向が異なる第２段ボール部材を含む。第１内側支持部７は、透明シート部材２を、内側から目の方向が異なる複数の段ボール部材により曲げて支持することにより、曲げる強度を十分に確保するとともに、透明シート部材２を起立させるために必要な強度をも確保することができる。【選択図】図１
0003229798.tif 000002
【実用新案登録請求の範囲】
【請求項１】
透明シート部材と、前記透明シート部材の少なくとも一部を曲げて支持する枠体を備え、
前記枠体は、前記透明シート部材をシート面の内側から支持する内側部と、前記内側部が支持する位置で前記透明シート部材をシート面の外側から支持する外側部を備え、
前記内側部は、第１段ボール部材と、前記第１段ボール部材と目の方向が異なる第２段ボール部材を含む、パーティション。
【請求項２】
前記第１段ボール部材及び前記第２段ボール部材の目の方向は、水平であり、
前記外側部は、少なくとも前記透明シート部材が曲げられた箇所において、少なくとも前記第１段ボール部材及び前記第２段ボール部材の高さに外側段ボール部材を含む、請求項１記載のパーティション。
【請求項３】
前記内側部及び前記外側部は、前記透明シート部材を少なくとも支持高さで支持し、
前記枠材は、前記透明シート部材を前記支持高さから上端まで垂直に支持する第１垂直部と、前記第１垂直部とは異なる位置で前記透明シート部材を前記支持高さから上端まで垂直に支持する第２垂直部を含み、
前記透明シート部材において曲げられた箇所は、前記第１垂直部と前記第２垂直部が前記透明シート部材を支持する位置の間にある、請求項１又は２に記載のパーティション。
【考案の詳細な説明】
【技術分野】
【０００１】
本願考案は、パーティションに関する。
【背景技術】
【０００２】
特許文献１には、段ボールシートを屏風型に構成してパーティションとすることが記載されている。
【先行技術文献】
【特許文献】
【０００３】
【特許文献１】特開２００３−８２７９６号公報
【考案の概要】
【考案が解決しようとする課題】
【０００４】
特許文献１に記載のように、段ボールを使用してパーティションを作成する場合には、通常、強度を確保するために折れた状態を利用する。しかしながら、パーティションに透明な個所を設けようとすると、折れた箇所では光の屈折が不自然なものとなる。そのため、平面状の部分に設けることとなり、視界が狭まったり、視界に不要な段ボールが入ったりする。
【０００５】
そこで、本願考案は、段ボールを利用したパーティションであって、透明な個所を広く確保することに適したパーティションを提案することを目的とする。
【課題を解決するための手段】
【０００６】
本願考案の第１の観点は、透明シート部材と、前記透明シート部材の少なくとも一部を曲げて支持する枠体を備え、前記枠体は、前記透明シート部材をシート面の内側から支持する内側部と、前記内側部が支持する位置で前記透明シート部材をシート面の外側から支持する外側部を備え、前記内側部は、第１段ボール部材と、前記第１段ボール部材と目の方向が異なる第２段ボール部材を含む。
【０００７】
本願考案の第２の観点は、第１の観点のパーティションであって、前記第１段ボール部材及び前記第２段ボール部材の目の方向は、水平であり、前記外側部は、少なくとも前記透明シート部材が曲げられた箇所において、少なくとも前記第１段ボール部材及び前記第２段ボール部材の高さに外側段ボール部材を含む。
【０００８】
本願考案の第３の観点は、第１又は第２の観点のパーティションであって、前記内側部及び前記外側部は、前記透明シート部材を少なくとも支持高さで支持し、前記枠材は、前記透明シート部材を前記支持高さから上端まで垂直に支持する第１垂直部と、前記第１垂直部とは異なる位置で前記透明シート部材を前記支持高さから上端まで垂直に支持する第２垂直部を含み、前記透明シート部材において曲げられた箇所は、前記第１垂直部と前記第２垂直部が前記透明シート部材を支持する位置の間にある。
【考案の効果】
【０００９】
本願考案の各観点によれば、透明シート部材を、内側から目の方向が異なる複数の段ボール部材により曲げて支持することにより、曲げる強度を十分に確保するとともに、透明シート部材を起立させるために必要な強度をも確保することができる。
【図面の簡単な説明】
【００１０】
【図１】本願考案の実施の形態に係るパーティションの構成の一例を示す図である。
【図２】本願考案の具体例を説明するための第１図である。
【図３】本願考案の具体例を説明するための第２図である。
【図４】本願考案の具体例を説明するための第３図である。
【図５】本願考案の他の具体例を説明するための図である。
【考案を実施するための形態】
【００１１】
以下では、図面を参照して、本願考案の実施例について説明する。なお、本願考案は、この実施例に限定されるものではない。
【実施例】
【００１２】
図１は、本願考案の実施の形態に係るパーティションの構成の一例を示す図であり、（ａ）正面図、（ｂ）背面図、（ｃ）平面図、（ｄ）底面図、（ｅ）左側面図、及び（ｄ）右側面図である。パーティション１は、透明シート部材２（本願考案の「透明シート部材」の一例）と、枠体（本願考案の「枠体」の一例）を備える。枠材は、透明シート部材２を内側から支持する内側部と、透明シート部材を外側から支える外側部を備える。
【００１３】
図１（ｂ）を参照して、パーティション１では、第１内側支持部７及び第２内側支持部９がそれぞれ第１支持高さ及び第２支持高さで内側から支持している。図１（ｂ）では、第１支持高さは上端と下端の間にある高さであり、第２支持高さは下端である。
【００１４】
第１内側支持部７は、複数枚の段ボールを含む。これらの段ボールの目の方向は、水平であるが、異なる方向のものを含む。例えば、ある段ボールの目は前後方向であり、他の一つの段ボールの目は左右方向である。
【００１５】
第２内側支持部９は、複数枚の段ボールを含む。これらの段ボールの目の方向は、水平であるが、異なる方向のものを含む。例えば、ある段ボールの目は前後方向であり、他の一つの段ボールの目は左右方向である。
【００１６】
図１（ａ）を参照して、外側部は、外側段ボール部材３を含む。外側段ボール部材３は、少なくとも第１支持高さにおいて透明シート部材２を外側から支持する。図１（ａ）では、第１支持高さから第２支持高さまでを支持している。外側段ボール部材３は、段ボールであり、例えば、目の方向は水平である。また、透明シート部材２は、第１支持高さから上端まで、第１垂直部５1及び第２垂直部５2によりそれぞれ左右の端で垂直に支持されている。図１（ａ）では、外側段ボール部材３並びに第１垂直部５1及び第２垂直部５2を一つの段ボールによるものとしているが、異なる段ボールにより実現するようにしてもよい。
【００１７】
図１（ｃ）及び（ｄ）にあるように、第１内側支持部７は、透明シート部材２を、第１垂直部５1及び第２垂直部５2の間で内側から曲げて支持する。そのため、透明シート部材２は湾曲し、平面状ではなく立体的な形状となるため、例えば自立できるような強度を確保することができる。
【００１８】
なお、本願考案において、透明シート部材を曲げる個所は、全体を曲げてもよく、例えば内側部材の指示する部分を四角形の一部の辺として角の部分を曲げるように一部を曲げて他の部分を平面状にしてもよい。
【００１９】
図２〜図４を参照して、本願考案の具体例について説明する。
【００２０】
図２は、具体例の全体像を示す図であり、（ａ）正面側斜方、（ｂ）背面、（ｃ）外側の側面斜方、及び、（ｄ）内側の側面斜方から撮影したものである。
【００２１】
図３は、具体例の部品を示す図である。
【００２２】
図３（ａ）において、部材１７1及び１７2は、第１内側支持部に含まれる段ボール部材であり、部材１７1の目は上下方向、部材１７2の目は左右方向である。部材１９1及び１９2は、第２内側支持部に含まれる段ボール部材であり、部材１９1の目は上下方向、部材１９2の目は左右方向である。
【００２３】
図３（ｂ）は、使用したピン２１である。ピン２１により、部材に形成されたピン孔を固定する。
【００２４】
図３（ｃ）は、透明シート部材２７を内側から面状に支持する部材２３である。
【００２５】
図３（ｄ）は、透明シート部材２７を外側から面状に支持する部材２５を示す。
【００２６】
図３（ｅ）は、部材２５に透明シート部材２７を載せたものを示す。
【００２７】
図４（ａ）は、図３（ｅ）と同様に、部材２５に透明シート部材２７を載せたものを示す。
【００２８】
図４（ｂ）は、部材２５に形成されたピン孔と、透明シート部材２７に形成されたピン孔との関係について、拡大して撮影したものである。段ボールが伸縮してもよいように、透明シート部材２７には、段ボールのピン孔よりも大きなピン孔が形成されている。
【００２９】
図４（ｃ）は、部材２５に透明シート部材２７を載せ、下端を揃えて部材２３を載せて、ピン孔をピンで留めた状態を示す。図４（ｄ）は、部材２３、部材２５及び透明シート部材２７を端点で固定した部分を拡大して撮影したものである。
【００３０】
図４（ｅ）及び（ｆ）は、部材１７1及び１７2を重ねて第１内側支持部とし、部材１９1及び１９2を重ねて第２内側支持部として、ピン孔をピンで留めた状態において、端部を拡大して撮影したものである。
【００３１】
図５は、本願考案の他の具体例を説明するための図である。図５（ａ）は、図３（ｄ）の再掲である。部材２５では、左右両側を折り曲げて透明シート部材２７を挟むが、位置２９1及び２９2にて分かれて挟んでいた。それに対し、これを連続するようにしてもよい。この場合、図５（ｂ）にあるような取り付けにより実現することができる。
【符号の説明】
【００３２】
１  パーティション、２  透明シート部材、３  外側段ボール部材、５  垂直部、７  第１内側支持部、９  第２内側支持部、１７，１９、２３，２５，２７  部材、２１  ピン、２９  位置
【図１】
0003229798.tif 000003
【図２】
0003229798.tif 000004
【図３】
0003229798.tif 000005
【図４】
0003229798.tif 000006
【図５】
0003229798.tif 000007
【手続補正書】
【提出日】令和2年10月1日(2020.10.1)
【手続補正１】
【補正対象書類名】実用新案登録請求の範囲
【補正対象項目名】全文
【補正方法】変更
【補正の内容】
【実用新案登録請求の範囲】
【請求項１】
透明シート部材と、前記透明シート部材の少なくとも一部を曲げて支持する枠体を備え、
前記枠体は、前記透明シート部材をシート面の内側から支持する内側部と、前記内側部が支持する位置で前記透明シート部材をシート面の外側から支持する外側部を備え、
前記内側部は、第１段ボール部材と、前記第１段ボール部材と目の方向が異なる第２段ボール部材を含む、パーティション。
【請求項２】
前記第１段ボール部材及び前記第２段ボール部材の目の方向は、水平であって、目の方向が異なり、
前記外側部は、少なくとも前記透明シート部材が曲げられた箇所において、少なくとも前記第１段ボール部材及び前記第２段ボール部材が前記透明シート部材を支持する位置に外側段ボール部材を含む、請求項１記載のパーティション。
【請求項３】
前記内側部及び前記外側部は、前記透明シート部材を支持し、
前記枠材は、第１垂直部と、第２垂直部を含み、
前記第１垂直部及び前記第２垂直部は、前記透明シート部材を、前記内側部及び前記外側部が前記透明シート部材を支持する位置から上端まで垂直に支持し、
前記第２垂直部は、前記第１垂直部とは異なる位置で前記シート部材を支持し、
前記透明シート部材において曲げられた箇所は、前記第１垂直部と前記第２垂直部が前記透明シート部材を支持する位置の間にある、請求項１又は２に記載のパーティション。